(57)【特許請求の範囲】
【請求項１】
建築物の開口部に取り付けられるサッシ枠であって、
ブレースを取り付けるための取付部を一体に備えることを特徴とするサッシ枠。
【請求項２】
四隅部近傍に取付部を設けたことを特徴とする請求項１記載のサッシ枠。
【請求項３】
四辺部の略中央部に取付部を設けたことを特徴とする請求項１記載のサッシ枠。
【請求項４】
四隅部近傍の取付部間において、Ｘ状に交差して架設され、かつ対向辺部に沿って平行に架設される一対の伸縮可能なブレースであることを特徴とする請求項３記載のサッシ枠。
【請求項５】
四辺部略中央部の取付部間において、四本のブレースが菱形状に架設されることを特徴とする請求項４記載のサッシ枠。
【請求項６】
取付部は、一体成形した突出部であることを特徴とする請求項１から５の何れか記載のサッシ枠。
【請求項７】
通常の枠幅部と一体成形した枠幅広部を備え、
取付部は、枠幅広部の対向辺部の両端部に形成した取付穴であることを特徴とする請求項１から５の何れか記載のサッシ枠。
【請求項８】
ブレースは、対向辺部の室内側に沿って収納可能であることを特徴とする請求項６記載のサッシ枠。
【発明の詳細な説明】
【０００１】
【発明の属する技術分野】
本発明は、耐震用としてのブレースの組み付けに対応したサッシ枠に関する。
【０００２】
【従来の技術】
建築物の耐震技術として、サッシ窓の外側に、柱および梁からなるフレーム内にＹ型ブレースとエネルギー吸収ダンパを設けたブレース構造体を躯体に取り付ける技術が、特開平１０−３２５２６０号公報により公知となっている。
【０００３】
【発明が解決しようとする課題】
しかし、前述した柱および梁からなるフレーム内にＹ型ブレースとエネルギー吸収ダンパを設けたブレース構造体を躯体に取り付けるのは、多数のサッシ窓が並ぶビルディングの躯体そのものの耐震補強工事であり、かなりの工期・経費を必要とする。
従って、地震による被害が開口部に集中しやすい一般住宅においては、前述の大掛かりな耐震補強工事を適用することができなかった。
【０００４】
ところで、サッシ枠に耐震用のブレースを組み付けることが考えられるが、その場合、サッシ枠にブレース取付部を溶接により固定しておく必要がある。
しかし、ブレース取付部をサッシ枠に後付けしたのでは、地震時にブレース取付部が外れる心配がある。
【０００５】
本発明の課題は、耐震用のブレースの組み付けに容易に対応できて耐震補強性に優れるサッシ枠を提供することである。
【０００６】
【課題を解決するための手段】
以上の課題を解決するため、請求項１記載の発明は、
例えば、図１及び図２、図４、図５及び図６、図８及び図９に示すように、
建築物の開口部に取り付けられるサッシ枠１０、４０であって、
ブレース２０、５０を取り付けるための取付部１１、１２、４３を一体に備えることを特徴とする。
【０００７】
請求項１記載の発明によれば、ブレース取付部を一体に備えたサッシ枠なので、耐震用のブレースの組み付けに容易に対応できる。
そして、ブレースを取り付けておいても、その取付部が地震時に外れることがなく、耐震補強性に優れる。
【０００８】
請求項２記載の発明は、
例えば、図１及び図２に示すように、
請求項１記載のサッシ枠１０であって、
四隅部近傍に取付部１１を設けたことを特徴とする。
【０００９】
請求項３記載の発明は、
請求項１記載のサッシ枠１０であって、
例えば、図４に示すように、
四辺部の略中央部に取付部１２を設けたことを特徴とする。
【００１０】
請求項４記載の発明は、
例えば、図２及び図３、図６及び図７、図９及び図１０に示すように、
請求項３記載のサッシ枠１０、４０であって、
四隅部近傍の取付部１１、４３間において、一対の伸縮可能なブレース２０、５０を、Ｘ状に交差して架設し、かつ対向辺部に沿って平行に架設することを特徴とする。
【００１１】
請求項４記載の発明によれば、一対の伸縮可能なブレースを用いるので、四隅部近傍の取付部間にＸ状に交差して架設したブレースにより、不審者の侵入を阻止できる。
また、ブレースを短くして対向辺部に沿って平行に架設した状態で収納できる。
【００１２】
請求項５記載の発明は、
例えば、図４に示すように、
請求項４記載のサッシ枠１０であって、
四辺部略中央部の取付部１２間において、四本のブレース３０を菱形状に架設することを特徴とする。
【００１３】
請求項５記載の発明によれば、四辺部略中央部の取付部間に菱形状に架設した四本のブレースにより、不審者の侵入を阻止できる。
【００１４】
請求項６記載の発明は、
例えば、図１、図４または図５に示すように、
請求項１から５の何れか記載のサッシ枠１０であって、
取付部は、一体成形した突出部１１、１２であることを特徴とする。
【００１５】
請求項６記載の発明によれば、ブレース取付用の突出部が一体成形されたサッシ枠なので、耐震用のブレースの組み付けに容易に対応できる。
そして、サッシ枠と突出部との間に溶接等で生じる継ぎ目が存在しないので、ブレースを取り付けておいても、地震時に突出部が外れることがなく、耐震補強性に優れる。
【００１６】
請求項７記載の発明は、
例えば、図８に示すように、
請求項１から５の何れか記載のサッシ枠４０であって、
通常の枠幅部４１と一体成形した枠幅広部４２を備え、
取付部は、枠幅広部４２の対向辺部の両端部に形成した取付穴４３であることを特徴とする。
【００１７】
請求項７記載の発明によれば、枠幅広部の対向辺部の両端部にブレース取付穴が形成されたサッシ枠なので、枠幅広部の対向辺部の溝内部に沿ってブレースを収納できる。従って、サッシ枠の内方にブレースが見えなく、外観が良い。
【００１８】
請求項８記載の発明は、
例えば、図７または図１０に示すように、
請求項６記載のサッシ枠１０であって、
ブレース２０は、対向辺部の室内側に沿って収納可能であることを特徴とする。
【００１９】
請求項８記載の発明によれば、サッシ枠の対向辺部の室内側に沿ってブレースが収納可能なので、サッシ枠の内方にブレースが見えなく、外観が良い。
【００２０】
【発明の実施の形態】
以下、図を参照して本発明の実施の形態を詳細に説明する。
【００２１】
〔第１の実施の形態〕
図１に示すように、サッシ枠１０は、左右一対の縦枠部と上下一対の横枠部とを接続してなる横長矩形状のものである。
このサッシ枠１０の四隅部の近傍には、突出部１１が一体成形により形成されている。すなわち、図示例では、左右一対の縦枠部の上下寄りにパイプ半割形状の突出部１１が一体成形されている。
このようなパイプ半割形状の突出部１１を有するサッシ枠（縦枠部）１０の製造は、例えば、アルミやステンレス等の金属材料を用い、ロストワックス法や鍛造法等によって行う。
【００２２】
以上のサッシ枠１０において、図２に示すように、四隅部近傍のブレース取付部となる突出部１１に、一対のブレース２０を、室内側もしくは室外側からサッシ枠１０の中央で交差するようにＸ状に取り付けている。
なお、図示例において、ブレース２０は、三本の鋼管（または二本の鋼管と一本の鋼棒）を入れ子式として三段階に分けて伸縮可能としたものである。また、この伸縮可能なブレース２０は、両端部を突出部１１の穴に挿入して任意の固定具等で固定した状態において、例えば、中間部の鋼管を回転させて長さを短くすることにより、所定の引張力を発生するものである。
【００２３】
以上の通り、サッシ枠１０の四隅部近傍に一体成形により備えた突出部１１に一対のブレース２０を中央で交差するＸ状に取り付けたことによって、地震時にブレース２０を取り付けた突出部１１がサッシ枠１０から外れる心配がなく、Ｘ状に設けたブレース２０によりサッシ枠１０を補強して、開口部の耐震補強性に優れている他、以下の作用効果が得られる。
（１）サッシ枠１０の内方に組み込まれる図示しない窓ガラスの破壊を防止できる。すなわち、木造は勿論、鉄骨造、ＲＣ造、ツーバイフォー（２×４）建物では応力算定外のサッシ枠窓ガラスの破壊防止となる。
（２）サッシ枠１０に対し室内側へのブレース２０の配置とすることで、建物外部からブレース２０が見えにくく、外観に影響を与えない。
（３）サッシ枠１０の枠内にＸ状のブレース２０が存在するため、外部からの不審者の侵入を防止でき、また、採光のための支障を生じることもない。
（４）既設のサッシ枠に代えて以上のサッシ枠１０に交換することにより、耐震補強に備えられる。
【００２４】
図３はブレース２０を短くしてサッシ枠１０に平行に取り付けた状態を示したものである。
すなわち、図２におけるブレース２０の突出部１１への固定を外し、図３に示したように、サッシ枠１０上下の横枠部と平行に沿わせてブレース２０の両端部を縦枠部の上下寄りに設けた突出部１１の穴に通して掛けておく。そして、入れ子式のブレース２０を短くしておく。
このように、ブレース２０を短くしてサッシ枠１０に平行に取り付けた状態でしまい込むことも可能である。
なお、通常は図３の状態にしておいて、例えば、地震予知技術が可能となった場合に、地震予知された緊急時に備えて、図２に示すように、サッシ枠１０にＸ状にブレース２０を設けるようにすれば良い。
【００２５】
〔第２の実施の形態〕
この実施形態において、サッシ枠１０は、図４に示すように、四辺部の中央部に前述と同様の突出部１２を一体成形により形成したものである。
そして、このような四辺部中央部の突出部１２間において、図示のように、四本のブレース３０を菱形状に取り付けている。
なお、ブレース３０は、一本の鋼管または鋼棒からなるもので、両端部を突出部１２の穴に挿入して任意の固定具等で固定する。
このように、サッシ枠１０の中央部に一体成形により備えた突出部１２に四本のブレース３０を菱形状に取り付けることによっても、前述した第１の実施形態と同様の作用効果が得られる。
【００２６】
〔第３の実施の形態〕
この実施形態において、サッシ枠１０は、図５に示すように、四隅部、すなわち、左右一対の縦枠部の上下端（上下一対の横枠部の左右端）に、前述した実施形態と同様のパイプ半割形状の突出部１１を一体成形により形成したものである。
このように、サッシ枠１０の四隅部に突出部１１を設けたので、図７に示したように、サッシ枠１０上下の横枠部の室内側に沿わせてブレース２０の両端部を縦枠部の上下端に設けた突出部１１の穴に通して掛けておく。そして、入れ子式のブレース２０を短くしておく。
こうして、ブレース２０を短くしてサッシ枠１０上下の横枠部の室内側に沿わせた状態で取り付けてしまい込むことができる。従って、サッシ枠１０の内方にはブレース２０が見えなくなって、外観が良くなる。
そして、地震予知された緊急時に備えては、図６に示すように、サッシ枠１０の四隅部の突出部１１に、一対のブレース２０を室内側からＸ状に取り付けて、耐震補強できる。
【００２７】
〔第４の実施の形態〕
この実施形態において、サッシ枠４０は、図８に示すように、仮想線で示した通常の枠幅部４１から枠幅広部４２を一体成形により形成して、左右一対の縦枠部の枠幅広部４２の上下端に取付穴４３を後加工により形成したものである。
このように、サッシ枠４０の枠幅広部４２の四隅部に取付穴４３を設けたので、図１０に示したように、前述した第１及び第２の実施形態と同様に入れ子式の一対のブレース５０を、サッシ枠４０上下の横枠部の枠幅広部４２の溝内側に沿わせて縦枠部の枠幅広部４２の上下端に設けた取付穴４３に通して掛けておく。そして、入れ子式のブレース５０を短くしておく。
こうして、ブレース５０を短くしてサッシ枠４０上下の横枠部の枠幅広部４２の溝内側に沿わせた状態で取り付けてしまい込むことができる。従って、サッシ枠４０の内方にはブレース５０が見えなくなって、外観が良くなる。
そして、地震予知された緊急時に備えては、図９に示すように、サッシ枠４０の枠幅広部４２の四隅部の取付穴４３に、ブレース５０を室内側からＸ状に取り付けて、耐震補強できる。
【００２８】
なお、以上の実施の形態においては、窓用のサッシ枠としたが、本発明はこれに限定されるものではなく、建築物の玄関部等にも適用可能である。
また、サッシ枠の形状についても、横長矩形状の他、縦長矩形状や正方形や五角形以上でも良い。
さらに、その他、具体的な細部構造等についても適宜に変更可能であることは勿論である。
【００２９】
【発明の効果】
請求項１記載の発明によれば、耐震用のブレースの組み付けに容易に対応でき、しかも、ブレース取付部が地震時に突出部が外れることがなく、耐震補強性に優れる。
【００３０】
請求項４記載の発明によれば、請求項１記載の発明により得られる効果に加え、四隅部近傍の取付部間にＸ状に交差して架設したブレースにより、不審者の侵入を阻止でき、また、ブレースを短くして対向辺部に沿って平行に架設した状態で収納できるといった利点が得られる。
【００３１】
請求項５記載の発明によれば、請求項１記載の発明により得られる効果に加え、四辺部略中央部の取付部間に菱形状に架設した四本のブレースにより、不審者の侵入を阻止できるといった利点が得られる。
【００３２】
請求項６記載の発明によれば、請求項１記載の発明と同様に、耐震用のブレースの組み付けに容易に対応でき、しかも、地震時に突出部が外れることがなく、耐震補強性に優れる。
【００３３】
請求項７記載の発明によれば、請求項１、４または５記載の発明により得られる効果に加え、枠幅広部の対向辺部の溝内部に沿ってブレースを収納でき、サッシ枠の内方にブレースが見えなく、外観が良いといった利点が得られる。
【００３４】
請求項８記載の発明によれば、請求項６記載の発明により得られる効果に加え、サッシ枠の内方にブレースが見えなく、外観が良いといった利点が得られる。
【図面の簡単な説明】
【図１】本発明を適用した第１の実施の形態を示すもので、サッシ枠のみを示した概略正面図である。
【図２】図１のサッシ枠にブレースを取り付けた状態を示した概略正面図である。
【図３】図２のブレースを短くしてサッシ枠に平行に取り付けた状態を示した概略正面図である。
【図４】本発明を適用した第２の実施の形態を示すもので、サッシ枠にブレースを取り付けた状態を示した概略正面図である。
【図５】本発明を適用した第３の実施の形態を示すもので、サッシ枠のみを示した概略正面図である。
【図６】図５のサッシ枠にブレースを取り付けた状態を示した概略正面図である。
【図７】図６のブレースを短くしてサッシ枠に平行に取り付けた状態を示した概略正面図である。
【図８】本発明を適用した第４の実施の形態を示すもので、サッシ枠のみを示した概略正面図である。
【図９】図８のサッシ枠にブレースを取り付けた状態を示した概略正面図である。
【図１０】図９のブレースを短くしてサッシ枠に平行に取り付けた状態を示した概略正面図である。
【符号の説明】
１０  サッシ枠
１１、１２  取付部（突出部）
２０、３０  ブレース
４０  サッシ枠
４２  枠幅広部
４３  取付部（取付穴）
５０  ブレース
【図１】
0004317647.tif 000002
【図２】
0004317647.tif 000003
【図３】
0004317647.tif 000004
【図４】
0004317647.tif 000005
【図５】
0004317647.tif 000006
【図６】
0004317647.tif 000007
【図７】
0004317647.tif 000008
【図８】
0004317647.tif 000009
【図９】
0004317647.tif 000010
【図１０】
0004317647.tif 000011